(57)【要約】【課題】プラントの通常運転時または検査時に、復水貯蔵槽の水抜き作業を容易とし、メンテナンスを容易にする。【解決手段】復水貯蔵槽１の代替水源として原子力発電プラント内に設置されている放射性液体廃棄物処理系サンプルタンク９内の貯水を使用する。このサンプルタンク９から他系統，機器へ給水するための補給水ポンプ３の補給水ポンプ入口配管２とサンプルタンク９とをバイパスライン２０により接続する。バイパスライン２０を通して他系統，機器へ給水する。これにより、復水貯蔵槽１内の貯水を使用しないため、復水貯蔵槽１の水抜き作業が容易で、復水貯蔵槽１のメンテナンスが容易となる。【選択図】　図１
2004012265.tif 000002
【特許請求の範囲】
【請求項１】
原子力発電所において、復水貯蔵槽内の貯水を水源とし、前記原子力発電所内の各系統または機器へ補給水を供給する機能を持つ補給水ポンプ及び配管を有する補給水系と、管理区域内の機器及び配管からの排水，漏えい水を放射性液体廃棄物処理系収集タンクに移送し、放射性液体廃棄物収集処理ポンプ，放射性液体廃棄物処理系サンプルタンク，放射性液体廃棄物処理系サンプルポンプにより復水貯蔵槽に回収し再使用または環境放出する設備を有する原子力発電所の補給水設備において、前記放射性廃棄物処理系サンプルタンクまたは前記放射性廃棄物処理系サンプルポンプの入口配管と前記補給水ポンプの入口配管とをバイパスラインにより接続してなることを特徴とする原子力発電所の補給水設備。
【請求項２】
前記補給水系から前記復水貯蔵槽へ接続する純水供給配管と放射性廃棄物処理系サンプルタンクとを分岐配管により接続してなることを特徴とする請求項１記載の原子力発電所の補給水設備。
【請求項３】
前記放射性廃棄物処理系サンプルポンプの出口配管と前記補給水ポンプの出口配管とをバイパスラインにより接続してなることを特徴とする請求項１記載の原子力発電所の補給水設備。
【請求項４】
原子力発電所において、復水貯蔵槽内の貯水を水源とし、前記原子力発電所内の各系統または機器へ補給水を供給する補給水ポンプ及び配管を有する補給水系と、サプレッションプール水をサプレッションプール浄化ポンプにより加圧し、燃料プール冷却浄化ろ過脱塩装置で浄化後、原子炉ウェル，機器仮置プール及び燃料プールへ供給する配管を有するサプレッションプール浄化系と、燃料交換後に前記原子炉ウェル，前記機器仮置プール，前記燃料プール内のプール水を前記燃料プール冷却浄化ろ過脱塩装置で浄化後、前記復水貯蔵層へ戻す戻り配管とを具備した燃料プール冷却浄化系を備えた原子力発電所の補給水設備において、前記燃料プール冷却浄化ろ過脱塩装置の出口配管と前記補給水ポンプ入口配管とをバイパスラインにより接続してなることを特徴とする原子力発電所の補給水設備。
【請求項５】
前記燃料プール冷却浄化ろ過脱塩装置の出口配管と前記補給水ポンプの出口配管とをバイパスラインにより接続してなることを特徴とする請求項４記載の原子力発電所の補給水設備。
【請求項６】
原子力発電所において、復水貯蔵槽内の貯水を水源とし、前記原子力発電所内の各系統または機器へ補給水を供給する機能を持つ補給水ポンプ及び配管を有する補給水系と、管理区域内の機器及び配管からの排水，漏えい水を放射性液体廃棄物処理系収集タンクに移送し、放射性廃棄物処理系収集ポンプ，放射性液体廃棄物処理系サンプルタンク，放射性液体廃棄物処理系サンプルポンプにより復水貯蔵槽に回収し再使用または環境放出する設備を有する原子力発電所の補給水設備において、前記放射性廃棄物処理系収集ポンプの出口配管と前記燃料プール冷却浄化ろ過脱塩装置とを供給ラインにより接続してなることを特徴とする原子力発電所の補給水設備。
【発明の詳細な説明】
【０００１】
【発明の属する技術分野】
本発明は原子力発電所に設置されている復水貯蔵槽のメンテナンス時の代替水源を他の水源から他系統，機器へ補給水として供給できるように構成した原子力発電所の補給水設備に関する。
【０００２】
【従来の技術】
従来の原子力発電所の補給水系は、純水補給水設備からの純水や放射性液体廃棄物処理設備からの戻り水，燃料交換後の原子炉ウェル，機器仮置プール，燃料プールからの戻り水を貯留している復水貯蔵槽水を水源とし、発電所内の各機器、配管及び発電所一次系へ補給水を供給する機能を有する系統である。
【０００３】
図７により従来の原子力発電所の補給水設備を説明する。図７は補給水系及び復水貯蔵槽廻りの系統構成を示している。
補給水系３０は、復水貯蔵槽１を水源とし、復水貯蔵槽１に接続した補給水ポンプ入口配管２，補給水ポンプ３により補給水ポンプ出口配管４を通り、他系統，機器へ補給水を供給する系統である。
【０００４】
放射性液体廃棄物処理系３１は、管理区域内の機器及び配管からの排水，漏えい水を放射性液体廃棄物処理系（低電導度廃液系／高電導度廃液系（ＬＣＷ／ＨＣＷ））収集タンク５に収集し、収集ポンプ入口配管６，収集ポンプ７，収集ポンプ出口配管８，放射性液体廃棄物処理系（ＬＣＷ／ＨＣＷ）サンプルタンク９，サンプルポンプ入口配管１０，サンプルポンプ１１，サンプルポンプ出口配管１２により復水貯蔵槽１に回収し、再使用または環境放出する設備を有する系統である。
【０００５】
サプレッションプール浄化系及び燃料プール冷却浄化系３２は、サプレッションプール１３を水源として浄化ポンプ入口配管１４，浄化ポンプ１５により浄化ポンプ出口配管１６，燃料プール冷却浄化ろ過脱塩装置（Ｆ／Ｄ）１７，Ｆ／Ｄ出口配管１８により復水貯蔵槽１へ回収する設備を有する系統である。なお、復水貯蔵槽１には、純水補給設備である脱塩水補給水系（ＭＵＷＰ系）からの純水供給配管１９が接続される。
【０００６】
【発明が解決しようとする課題】
復水貯蔵槽１のライニング板にはステンレス鋼が用いられていることから、腐食等を考慮する必要がなく、従来からメンテナンス対策は設計上考慮されていない。
【０００７】
しかしながら、復水貯蔵槽１内の復水は他系統からの戻り水も貯留することから、何らかの原因で異物やごみ等が復水貯蔵槽１内の底部に堆積している可能性があるため、定期的な清掃が必要と考えられる。
【０００８】
一方、復水貯蔵槽１には、プラント通常運転時及び定期検査時に他系統，機器へ補給水を供給する脱塩水補給水（ＭＵＷＰ）系が接続されている。このため、復水貯蔵槽を定期的に清掃する場合、復水貯蔵槽内の水抜きを実施することは困難な状態にある。その結果、復水貯蔵槽のメンテナンスができない課題がある。
【０００９】
本発明は上記課題を解決するためになされたもので、他系統，機器への補給水を原子力発電所内に設置されている復水貯蔵槽以外の槽やタンクで代替できるようにして復水貯蔵槽のメンテナンスができるようにした原子力発電所の補給水設備を提供することにある。
【００１０】
【課題を解決するための手段】
請求項１に係る発明は、原子力発電所において、復水貯蔵槽内の貯水を水源とし、前記原子力発電所内の各系統または機器へ補給水を供給する機能を持つ補給水ポンプ及び配管を有する補給水系と、管理区域内の機器及び配管からの排水，漏えい水を放射性液体廃棄物処理系収集タンクに移送し、放射性液体廃棄物収集処理ポンプ，放射性液体廃棄物処理系サンプルタンク，放射性液体廃棄物処理系サンプルポンプにより復水貯蔵槽に回収し再使用または環境放出する設備を有する原子力発電所の補給水設備において、前記放射性廃棄物処理系サンプルタンクまたは前記放射性廃棄物処理系サンプルポンプの入口配管と前記補給水ポンプの入口配管とをバイパスラインにより接続してなることを特徴とする。
【００１１】
請求項２に係る発明は、前記補給水系から前記復水貯蔵槽へ接続する純水供給配管と放射性廃棄物処理系サンプルタンクとを分岐配管により接続してなることを特徴とする。
【００１２】
請求項３に係る発明は、前記放射性廃棄物処理系サンプルポンプの出口配管と前記補給水ポンプの出口配管とをバイパスラインにより接続してなることを特徴とする。
【００１３】
請求項４に係る発明は、原子力発電所において、復水貯蔵槽内の貯水を水源とし、前記原子力発電所内の各系統または機器へ補給水を供給する補給水ポンプ及び配管を有する補給水系と、サプレッションプール水をサプレッションプール浄化ポンプにより加圧し、燃料プール冷却浄化ろ過脱塩装置で浄化後、原子炉ウェル，機器仮置プール及び燃料プールへ供給する配管を有するサプレッションプール浄化系と、燃料交換後に前記原子炉ウェル，前記機器仮置プール，前記燃料プール内のプール水を前記燃料プール冷却浄化ろ過脱塩装置で浄化後、前記復水貯蔵層へ戻す戻り配管とを具備した燃料プール冷却浄化系を備えた原子力発電所の補給水設備において、前記燃料プール冷却浄化ろ過脱塩装置の出口配管と前記補給水ポンプ入口配管とをバイパスラインにより接続してなることを特徴とする。
【００１４】
請求項５に係る発明は、前記燃料プール冷却浄化ろ過脱塩装置の出口配管と前記補給水ポンプの出口配管とをバイパスラインにより接続してなることを特徴とする。
【００１５】
請求項６に係る発明は、原子力発電所において、復水貯蔵槽内の貯水を水源とし、前記原子力発電所内の各系統または機器へ補給水を供給する機能を持つ補給水ポンプ及び配管を有する補給水系と、管理区域内の機器及び配管からの排水，漏えい水を放射性液体廃棄物処理系収集タンクに移送し、放射性廃棄物処理系収集ポンプ，放射性液体廃棄物処理系サンプルタンク，放射性液体廃棄物処理系サンプルポンプにより復水貯蔵槽に回収し再使用または環境放出する設備を有する原子力発電所の補給水設備において、前記放射性廃棄物処理系収集ポンプの出口配管と前記燃料プール冷却浄化ろ過脱塩装置とを供給ラインにより接続してなることを特徴とする。
【００１６】
【発明の実施の形態】
図１により本発明に係る原子力発電所の補給水設備の第１の実施の形態を説明する。図１中、図７と同一部分には同一符号を付して重複する部分の説明は省略する。
【００１７】
本実施の形態が従来例と異なる点は、放射性液体廃棄物処理系サンプルタンク９と補給水ポンプ入口配管２とをバイパスライン２０により接続したことにある。これにより、サンプルタンク９を水源とし、復水貯蔵槽１を介さずにバイパスライン２０から補給水ポンプ入口配管２，補給水ポンプ３，補給水ポンプ出口配管４を通して他系統，機器へ補給水を供給できる。
【００１８】
本実施の形態によれば、サンプルタンク９を代替水源とし、復水貯蔵槽１を経由しないので、復水貯蔵槽１内の水抜き作業が容易となり、復水貯蔵槽１のメンテナンス作業が容易となる。
【００１９】
つぎに図２により本発明に係る原子力発電所の補給水設備の第２の実施の形態を説明する。図２中、図１と同一部分には同一符号を付して重複する部分の説明は省略する。
【００２０】
本実施の形態が第１の実施の形態と異なる点は、サンプルタンク９と補給水ポンプ入口配管２とをバイパスライン２０により接続するほかに、純水供給配管１９から分岐して純水供給配管１９とサンプルタンク９とを分岐配管２１により接続したことにある。
【００２１】
本実施の形態では、水源確保の観点から純水供給配管１９をサンプルタンク９に接続し、サンプルタンク９を水源として、バイパスライン２０，補給水ポンプ入口配管２，補給水ポンプ３，補給水ポンプ出口配管４を通して、他系統，機器へ補給水を供給することができる。
【００２２】
本実施の形態によれば、純水供給配管１９からサンプルタンク９へ給水として水源を確保することができる。その他の作用効果は第１の実施の形態と同様なのでその説明は省略する。
【００２３】
つぎに、図３により本発明に係る原子力発電所の補給水設備の第３の実施の形態を説明する。
図３中、図１および図７と同一部分には同一符号を付して重複する部分の説明は省略する。
【００２４】
本実施の形態は、サンプルタンク９を水源とし、サンプルポンプ入口配管１０，サンプルポンプ１１及びサンプルポンプ出口配管１２が順次直列接続され、サンプルポンプ出口配管１２から分岐してサンプルポンプ出口配管１２と補給水ポンプ出口配管４とをバイパスライン２４により接続したことにある。
【００２５】
本実施の形態によれば、サンプルタンク９を水源として、サンプルタンク９から復水貯蔵槽１を介さずに、バイパスライン２４を通して補給水ポンプ出口配管４により、他系統，機器へ補給水を供給することができる。よって、復水貯蔵槽１内の水抜きを行う必要がなく、復水貯蔵槽１のメンテナンス作業が容易となる。
【００２６】
つぎに、図４により本発明に係る原子力発電所の補給水設備の第４の実施の形態を説明する。
図４中、図１および図７と同一部分には同一符号を付して重複する部分の説明は省略する。
【００２７】
本実施の形態はサプレッションプール１３を水源とし、サプレッションプール１３，浄化ポンプ入口配管１４，浄化ポンプ１５，浄化ポンプ出口配管１６，燃料プール冷却浄化ろ過脱塩装置（Ｆ／Ｄ）１７及びＦ／Ｄ出口配管１８が順次直列接続されている。また、Ｆ／Ｄ出口配管１８と補給水ポンプ入口配管２とはバイパスライン２２により接続している。
【００２８】
本実施の形態によれば、サプレッションプール１３から浄化ポンプ入口配管１４，浄化ポンプ１５，浄化ポンプ出口配管１６，燃料プール冷却浄化ろ過脱塩装置１７，バイパスライン２２，補給水ポンプ入口配管２，補給水ポンプ３，補給水ポンプ出口配管４により、他系統，機器へ補給水を供給する。
よって、バイパスライン２２により復水貯蔵槽１を経由しないので、復水貯蔵槽１の水抜き作業が容易となり、復水貯蔵槽１のメンテナンスが容易となる。
【００２９】
つぎに、図５により本発明に係る原子力発電所の補給水設備の第５の実施の形態を説明する。図５中、図７と同一部分には同一符号を付して重複する部分の説明は省略する。
【００３０】
本実施の形態は、サプレッションプール１３を水源とし、サプレッションプール１３，浄化ポンプ入口配管１４，浄化ポンプ１５，浄化ポンプ出口配管１６及び燃料プール冷却浄化ろ過脱塩装置（Ｆ／Ｄ）１７が順次直列接続し、燃料プール冷却浄化ろ過脱塩装置１７と補給水ポンプ出口配管４とをバイパスライン２５により接続したことにある。
【００３１】
本実施の形態によれば、サプレッションプール１３を代替水源とし、補給水ポンプ３をバイパスすることで、補給水ポンプ出口配管４を通して、他系統，機器へ補給水を供給することができる。よって、復水貯蔵槽１内の水抜き作業が容易となり、復水貯蔵槽１のメンテナンスが容易となる。
【００３２】
つぎに図６により本発明に係る原子力発電所の補給水設備の第６の実施の形態を説明する。図６中、図１および図７と同一部分には同一符号を付して重複する部分の説明は省略する。
【００３３】
本実施の形態は、放射性気体廃棄物処理系収集タンク５を水源とし、この放射性液体廃棄物処理系収集タンク５，収集ポンプ入口配管６，収集ポンプ７及び収集ポンプ出口配管８が順次直列接続されており、収集ポンプ出口配管８から分岐して収集ポンプ出口配管８と燃料プール冷却浄化ろ過脱塩装置１７とを水供給ライン２３により接続する。また、Ｆ／Ｄ出口配管１８と補給水ポンプ入口配管２とをバイパスライン２２により接続する。
【００３４】
本実施の形態では、放射性液体廃棄物処理系収集タンク５を代替水源として、水供給ライン２３，燃料プール冷却浄化ろ過脱塩装置１７，Ｆ／Ｄ出口配管１８，バイパスライン２２，補給水ポンプ入口配管２，補給水ポンプ３，補給水ポンプ出口配管４を通して、他系統，機器へ補給水を供給する。
【００３５】
本実施の形態によれば、復水貯蔵槽１を経由しないで補給水を他系統，機器へ供給できるため、復水貯蔵槽１の水抜き作業が容易であり、復水貯蔵槽１のメンテナンスが容易となる。
【００３６】
【発明の効果】
本発明によれば、補給水系の水源である復水貯蔵槽の代替水源として、放射性液体廃棄物処理系収集タンクや放射性液体廃棄物処理系サンプルタンク，サンプルサプレッションプールを使用することができ、復水貯蔵槽の水抜き作業が容易で、そのメンテナンスが容易となり、安全性を考慮した原子力発電所の補給水設備を提供することができる。
【図面の簡単な説明】
【図１】本発明に係る原子力発電所の補給水設備の第１の実施の形態を示す系統図。
【図２】本発明に係る原子力発電所の補給水設備の第２の実施の形態を示す系統図。
【図３】本発明に係る原子力発電所の補給水設備の第３の実施の形態を示す系統図。
【図４】本発明に係る原子力発電所の補給水設備の第４の実施の形態を示す系統図。
【図５】本発明に係る原子力発電所の補給水設備の第５の実施の形態を示す系統図。
【図６】本発明に係る原子力発電所の補給水設備の第６の実施の形態を示す系統図。
【図７】従来の原子力発電所の補給水設備を示す系統図。
【符号の説明】
１…復水貯蔵槽、２…補給水ポンプ入口配管、３…補給水ポンプ、４…補給水ポンプ出口配管、５…放射性液体廃棄物処理系（ＬＣＷ／ＨＣＷ）収集タンク、６…収集ポンプ入口配管、７…収集ポンプ、８…収集ポンプ出口配管、９…サンプルタンク、１０…サンプルポンプ入口配管、１１…サンプルポンプ、１２…サンプルポンプ出口配管、１３…サプレッションプール、１４…浄化ポンプ入口配管、１５…浄化ポンプ、１６…浄化ポンプ出口配管、１７…燃料プール冷却浄化ろ過脱塩装置（Ｆ／Ｄ）、１８…Ｆ／Ｄ出口配管、１９…純水供給配管、２０…バイパスライン、２１…分岐配管、２２…バイパスライン、２３…水供給ライン、２４…バイパスライン、２５…バイパスライン、３０…補給水系、３１…放射性液体廃棄物処理系、３２…サプレッションプール浄化系及び燃料プール冷却浄化系。
【図１】
2004012265.tif 000003
【図２】
2004012265.tif 000004
【図３】
2004012265.tif 000005
【図４】
2004012265.tif 000006
【図５】
2004012265.tif 000007
【図６】
2004012265.tif 000008
【図７】
2004012265.tif 000009